(57)【要約】【課題】体重データと体型データを連動管理できる体型測定システムを提供すること。【解決手段】体重計１０と撮影手段２２を含む体型測定システム１であって、体重１０計が測定した体重情報を取得する体重情報取得手段と、体重計１０によるユーザーの体重測定に関連づけて、撮影手段２２でユーザーの少なくとも一部を撮影してユーザー画像を取得するユーザー画像取得手段と、ユーザー画像の撮影に関連づけて日付情報を取得する日付情報取得手段と、取得した体重情報と当該体重情報に関連して取得したユーザー画像と撮影日付情報を含む体型記録データを記憶部１９０に記憶させる記録手段と、を含む。【選択図】図１
2008142470.tif 000002
【特許請求の範囲】
【請求項１】
体重計と撮影手段を含む体型測定システムであって、
体重計が測定した体重情報を取得する体重情報取得手段と、
体重計によるユーザーの体重測定に関連づけて、撮影手段でユーザーの少なくとも一部を撮影してユーザー画像を取得するユーザー画像取得手段と、
ユーザー画像の撮影に関連づけて日付情報を取得する日付情報取得手段と、
取得した体重情報と当該体重情報に関連して取得したユーザー画像と撮影日付情報を含む体型記録データを記憶部に記憶させる記録手段と、
を含むことを特徴とする体型測定システム。
【請求項２】
請求項１において、
体重計測またはユーザー画像撮影に関連して入力されるユーザー入力情報に基づいて、取得した体重情報及びユーザー画像に対応するユーザー識別情報を判断するユーザー判断手段をさらに含み、
前記記録手段は、
取得した体重情報及びユーザー画像を対応するユーザー識別情報に関連づけて記憶させることを特徴とする体型測定システム。
【請求項３】
請求項１乃至２のいずれかにおいて、
体重計と撮影手段が所定の位置関係になるように体重計及び撮影手段の少なくとも一方を配置するための位置合わせサポート情報を出力する位置合わせサポート情報出力手段と、をさらに含むことを特徴とする体型測定システム。
【請求項４】
請求項３において、
前記位置合わせサポート情報出力手段は、
前記位置合わせサポート情報として、体重計と撮影手段が所定の位置関係になるように体重計を設置するための設置位置を指示するレーザー光線を出力するレーザーポインタを含むことを特徴とする体型測定システム。
【請求項５】
請求項１乃至４のいずれかにおいて、
前記位置合わせサポート情報出力手段は、
撮影手段で撮影する撮影箇所に応じて体重計と撮影手段の所定の位置関係を決定し、決定した所定の位置関係になるように、体重計及び撮影手段の少なくとも一方を配置するための位置合わせサポート情報を出力することを特徴とする体型測定システム。
【請求項６】
請求項２に従属する請求項３乃至５のいずれかにおいて、
前記記憶部は、
ユーザー識別情報に関連づけて、撮影箇所の情報を記憶し、
前記位置合わせサポート情報出力手段は、
撮影手段で撮影するユーザーのユーザー識別情報に対応して記憶された撮影箇所の情報を読み出して、当該撮影箇所の情報に基づき体重計と撮影手段の位置関係を決定して、決定された位置関係に基づき位置合わせサポート情報を出力することを特徴とする体型測定システム。
【請求項７】
請求項１乃至６のいずれかにおいて、
音声入力を受け付ける手段と、
受け付けた音声入力の音声認識を行う音声認識手段と、
を含む事を特徴とする体型測定システム。
【請求項８】
請求項１乃至７のいずれかにおいて、
ユーザー画像取得手段は、
入力された音声の音声認識結果が所定の画像取得トリガ条件を満たしているかいなか判断し、所定の画像取得トリガ条件を満たしていると判断された場合には、撮影手段で撮影されたユーザー画像を取得することを特徴とする体型測定システム。
【請求項９】
請求項１乃至８のいずれかにおいて、
入力された音声の音声認識結果が所定の記録アクセス条件を満たしているかいなか判断し、所定の記録アクセス条件を満たしている場合には、記憶部に記憶された体型記録データへのアクセスを許可するアクセス権限判断手段を含むことを特徴とする体型測定システム。
【請求項１０】
請求項１乃至９のいずれかにおいて、
前記ユーザー画像取得手段は、
体重計によるユーザーの体重測定状態が正常条件を満たしているかいなか判断し、満たしている場合に、撮影手段で撮影されたユーザー画像を取得を許可する処理を行うことを特徴とする体型測定システム。
【発明の詳細な説明】
【技術分野】
【０００１】
本発明は、体型測定システムに関する。
【背景技術】
【０００２】
近年、体脂肪計測機能等をもつ体重計等が発売されており、このような技術は主として健康面での関心の高まりから広まっている。高機能な体重計の場合、各種の計測や個人別の設定入力のために表示画面および操作キー等を持つものがあるが、それらユーザＩ／Ｆは体重計本体内、もしくは体重計からワイヤで引き出せる操作部に設置されている。
【０００３】
一方、美容面から体型（ボディライン）の計測に関心を持つ人々（主として女性）があり、従来よりカメラをつかった体型測定装置等が考案されていた。
【特許文献１】特開２００３−１６９３２４号
【特許文献２】特開平６−２１７９６２号
【発明の開示】
【発明が解決しようとする課題】
【０００４】
従来の体型測定装置は、ボディラインの計測のために画像処理を行なうような構成の専門的なもので、体重計のように一般のユーザが手軽に家庭内で計測できるような装置ではなかった。
【０００５】
また、体重計に関しては体脂肪計測のような付加機能はあっても、体型ともっとも連動すると考えられる体型に関してその記録をとって、体重データと連動管理できるようなものはなかった。
【０００６】
また、体重計は、その形態から床面上に設置して使用するものであり、各種の操作キーを動かすためには一旦かがんで操作キーを操作するか、足指での操作をおこなうか、あるいは操作部を引き出せるものでは、引出した操作部を手で保持することが必要であった。従って体重計の上に直立し手足を伸ばした状態で、または所定のポーズを取った状態での操作は不可能であった。
【０００７】
本発明は、以上のような技術的課題に鑑みてなされたものであり、その目的とするところは、体重データと体型データを連動管理できる体型測定システムを提供することができる。
【課題を解決するための手段】
【０００８】
（１）本発明は、
体重計と撮影手段を含む体型測定システムであって、
体重計が測定した体重情報を取得する体重情報取得手段と、
体重計によるユーザーの体重測定に関連づけて、撮影手段でユーザーの少なくとも一部を撮影してユーザー画像を取得するユーザー画像取得手段と、
ユーザー画像の撮影に関連づけて日付情報を取得する日付情報取得手段と、
取得した体重情報と当該体重情報に関連して取得したユーザー画像と撮影日付情報を含む体型記録データを記憶部に記憶させる記録手段と、
を含むことを特徴とする。
【０００９】
日付情報は年月日の情報でもよいし、日付と時刻を含む日時情報でもよい。
【００１０】
撮影する画像はユーザーの全身像でもよいし、例えば上半身、下半身、顔、首、かた、うで、腹部、腰、足等の体の一部でもよい。
【００１１】
撮影手段はカメラ、ＣＣＤカメラ、ＣＭＯＳセンサ等で実現することができる。
【００１２】
ユーザー画像の撮影に関連づけて日付情報を取得するとは、ユーザー画像を撮影した日付を取得する場合でもよいし、体重を計測した日付のなかでユーザー画像も撮影した日付を取得する場合でもよい。
【００１３】
ユーザー画像取得手段はカメラＩ／Ｆ月ＳＯＣデバイス等で実現することができる。
【００１４】
日付情報取得手段は、リアルタイムクロックや電波時計等で実現することが可能である。
【００１５】
記憶部は不揮発性のメモリで実現することができる。例えばフラッシュEEPROMまたはフラッシュROMを本体に内蔵させる構成でも良いし、外部メモリとしてフラッシュカード等を本体に接続する構成でもよい。
【００１６】
本発明によれば、体重の計測情報と関連づけて取得したユーザー画像（例えばからだの気になる部分）と日付データを一体として記録・保存できるため、体重データと体型データを連動管理できる体型測定システムを提供することができる。
【００１７】
（２）本発明の体型測定システムは、
体重計測またはユーザー画像撮影に関連して入力されるユーザー入力情報に基づいて、取得した体重情報及びユーザー画像に対応するユーザー識別情報を判断するユーザー判断手段をさらに含み、
前記記録手段は、
取得した体重情報及びユーザー画像を対応するユーザー識別情報に関連づけて記憶させることを特徴とする。
【００１８】
ユーザー識別情報とは例えばユーザーＩＤ等である。
【００１９】
ユーザー入力情報とは、例えば本システムがキーボードやタッチパネルを有する場合には、これらを介して入力される文字や数字等の入力情報（例えば文字や数字で構成されるユーザーＩＤが入力される場合）でもよい。また例えば本システムが音声認識や音声合成の機能を有している場合には、ユーザーの音声情報（ユーザーＩＤを特定するための質問に対する音声による回答）でもよい。
【００２０】
（３）本発明の体型測定システムは、
体重計と撮影手段が所定の位置関係になるように体重計及び撮影手段の少なくとも一方を配置するための位置合わせサポート情報を出力する位置合わせサポート情報出力手段と、をさらに含むことを特徴とする。
【００２１】
体型撮影については、適切なユーザー画像を取得するためには、カメラ位置と体重計の位置関係を一定に保つことが必要である。所定の位置関係とは、例えば体重計にのったユーザーの少なくとも一部が撮影手段によって撮影可能な位置関係である。
【００２２】
位置合わせサポート情報とは、ユーザーが体重計または撮影手段を配置する際に少なくとも一方の配置位置を指示する情報や配置位置が正しいかどうかを通知する情報等である。
【００２３】
例えば撮影手段を壁等に固定しておいて、体重計を床におく場合の体重計の設置位置を指示するようにしても良い。
【００２４】
体重計と撮影手段を常に所定の位置関係を保つように配置すると邪魔になる場合もおおいので、必要に応じて配置して、使用しない場合には片付けておくことができると便利であるが、配置する際の位置合わせが面倒である。本発明によれば配置の際の位置合わせの負担を軽減し、たとえユーザーが設置場所を変更しても、常に同じ状態で体型測定が可能な体型測定システムを提供することができる。
【００２５】
（４）本発明の体型測定システムは、
前記位置合わせサポート情報出力手段は、
前記位置合わせサポート情報として、体重計と撮影手段が所定の位置関係になるように体重計を設置するための設置位置を指示するレーザー光線を出力するレーザーポインタを含むことを特徴とする。
【００２６】
例えばレーザーポインタを撮影手段に付随して設け、または撮影手段と一体的に形成し、体重計の代表点の位置をレーザーポインタで指示するようにしてもよい。体重計の位置は撮影手段の設置位置に応じてかわってくるので、撮影手段は予め予定された位置に設置されるものとして（予め予定された位置につては取り扱い説明書等でユーザーに指示しておく）、そのときの体重計の代表点の位置をポイントするようなレーザーポインタを設けるようにしてもよい。
【００２７】
なお撮影部位に応じて最適な位置関係を取るように、撮影部位に応じて体重計を異なる位置に配置する場合には、ポイント角度が可変に設定可能なレーザーポインタを用いて、撮影部位に応じてレーザーポインタの角度を制御するようにしてもよい。
【００２８】
また壁に設置された撮影手段の高さを変更可能な構成とする場合には、高さ情報と入力して、高さ情報と撮影部位の情報に基づき体重計（壁と垂直に隣り合う床に設置される）の配置位置を決定して、決定された配置位置を指示するようにレーザーポインタの角度を制御するようにしてもよい。
【００２９】
（５）本発明の体型測定システムは、
前記位置合わせサポート情報出力手段は、
撮影手段で撮影する撮影箇所に応じて体重計と撮影手段の所定の位置関係を決定し、決定した所定の位置関係になるように、体重計及び撮影手段の少なくとも一方を配置するための位置合わせサポート情報を出力することを特徴とする。
【００３０】
撮影箇所とは、ユーザーの体の全体または一部の場合どの部分であるかを意味している。例えばユーザーの上半身と下半身を撮影する場合では撮影手段と体重計の最適な位置関係が異なってくる。
【００３１】
撮影箇所毎に体重計と撮影手段を最適な位置関係にするための情報（例えばレーザーポインタの角度制御情報）等を予め記憶させておき、撮影箇所に応じて最適な情報を選択して、最適な情報に基づいて位置合わせサポート情報を出力するようにしてもよい。
【００３２】
本発明によれば撮影箇所に応じて撮影手段と体重計の位置関係が調整可能な位置合わせサポート情報を出力することができる。
【００３３】
（６）本発明の体型測定システムは、
前記記憶部は、
ユーザー識別情報に関連づけて、撮影箇所の情報を記憶し、
前記位置合わせサポート情報出力手段は、
撮影手段で撮影するユーザーのユーザー識別情報に対応して記憶された撮影箇所の情報を読み出して、当該撮影箇所の情報に基づき体重計と撮影手段の位置関係を決定して、決定された位置関係に基づき位置合わせサポート情報を出力することを特徴とする。
【００３４】
例えばあるユーザーが複数の異なる部分についての体型測定を行う場合には、ユーザー識別情報に関して複数の異なる撮影箇所の情報を記憶するようにしてもよいが、この場合にはどの撮影箇所であるかをユーザーに選択入力してもらい、選択結果に基づき体重計と撮影手段の位置関係を決定して、決定された位置関係に基づき位置合わせサポート情報を出力するようにしてもよい。
【００３５】
（７）本発明の体型測定システムは、
音声入力を受け付ける手段と、
受け付けた音声入力の音声認識を行う音声認識手段と、
を含む事を特徴とする。
【００３６】
なお音声合成手段をさらに含み、音声合成手段で生成した音声を出力するようにしてもよい。
【００３７】
例えば体重計は、その形態から床面上に設置して使用するものであり、各種の操作キーを動かすためには一旦かがんで操作キーを操作するか、足指での操作等が必要となったり、操作部を引き出せるものでは、引出して手で保持することが必要であったりと、体重計の上に直立し手足を伸ばした状態での操作は不可能であった。しかし音声合成、音声認識によるユーザーインタフェースにより、ハンズフリーで装置の操作が行なえるようにすることができ、所望のポーズのユーザー画像を記録することが可能となった。
【００３８】
（８）本発明の体型測定システムは、
ユーザー画像取得手段は、
入力された音声の音声認識結果が所定の画像取得トリガ条件を満たしているかいなか判断し、所定の画像取得トリガ条件を満たしていると判断された場合には、撮影手段で撮影されたユーザー画像を取得することを特徴とする。
【００３９】
例えばユーザーが所定の合図音声を発したことを画像取得トリガ条件とする場合には、音声認識手段が入力された音声の音声認識を行い入力された音声をテキストに変換し、ユーザー画像取得手段が、当該テキストが予め決められている合図のテキスト情報であるか否かを判断するようにしてもよい。このようにするとユーザーはハンズフリーで画像取得のタイミング（ユーザーのポーズＯＫのタイミング）を指示することができる。
【００４０】
（９）本発明の体型測定システムは、
入力された音声の音声認識結果が所定の記録アクセス条件を満たしているかいなか判断し、所定の記録アクセス条件を満たしている場合には、記憶部に記憶された体型記録データへのアクセスを許可するアクセス権限判断手段を含むことを特徴とする。
【００４１】
記録アクセス条件は、入力された音声の発声主がユーザー識別ＩＤに対応したユーザーであることを確認するための条件であればよいので、例えばユーザー識別ＩＤに対応付けられたパスワード（本人しか知らない）をダイレクトに発声してもらい、音声認識結果が登録されているパスワードと一致するか否かで判断する構成でもよい。なおユーザー識別ＩＤを本人しか知らない場合には、ユーザー識別ＩＤをダイレクトに発声してもらい、正しいかいなかで判断する構成でもよい。
【００４２】
また本人しか知らない登録された情報（ユーザー識別ＩＤやパスワード）を特定するための質問を行い、質問に対する回答の音声認識結果に基づき、本人か否か判断する構成でもよい。例えばユーザー識別ＩＤに対して数字のパスワードが登録されている場合、ユーザーが参照したいファイルをユーザー識別ＩＤで特定し参照依頼を行うと、システムで当該ユーザー識別ＩＤに対応して登録されているパスワードを読み出して、当該パスワードが検索範囲の中間値より大きいか否かの質問（例えば「あなたのパスワードはｘよりおおきいですか？」等の質問）を行い、その回答（「はい」または「いいえ」で答えてもらう）に基づき検索範囲を再設定して、再設定された検索範囲の中間値より大きいか否かの質問を行う処理（２分検索処理）をパスワード特定されるまで行い、特定されたパスワードが登録されたパスワードと等しいか否か判断する構成でもよい。
【００４３】
このようにすると本人以外に測定記録が参照されないようにすることができるので、複数の本システムを複数人で使用する場合にも各人のプライバシーの保護を図ることができる。
【００４４】
（１０）本発明の体型測定システムは、
前記ユーザー画像取得手段は、
体重計によるユーザーの体重測定状態が正常条件を満たしているかいなか判断し、満たしている場合に、撮影手段で撮影されたユーザー画像を取得を許可する処理を行うことを特徴とする。
【００４５】
例えば体重計の値が一定時間安定していること（一定時間に計測された体重値のぶれが所定範囲内（例えば前ｘ秒間の体重計測のぶれがｙ％未満である場合等）を正常条件として設定し正常条件を満たしている場合に、ユーザー画像の撮影を許可するようにしてもよい。許可するとは、即撮影する場合でもよい、指示があれば撮影可能な状態におく場合でもよい。
【００４６】
このようにするとユーザーが体重計にキチンとのったことを確認してユーザー画像の撮影を許可することができる。
【発明を実施するための最良の形態】
【００４７】
以下、本発明の好適な実施の形態について図面を用いて詳細に説明する。なお以下に説明する実施の形態は、特許請求の範囲に記載された本発明の内容を不当に限定するものではない。また以下で説明される構成の全てが本発明の必須構成要件であるとは限らない。
【００４８】
図１は、本実施の形態の体型測定システムの構成について説明するための図である。
【００４９】
本実施の形態の体型測定システム１は、体重計１０と撮影手段２２を含む。
ここで撮影手段（カメラ）２２を含むカメラ子機２０は、マイク２４、スピーカ２６、表示部２８を含むようにしてもよい。なおカメラ子機２０の内部には図示しない記録データ記憶部や処理部（ＣＰＵ）等をふくむようにしてもよい。またカメラ子機２０の内部には図示しない電波時計等をふくむようにしてもよい。
【００５０】
体重計１０とカメラ子機２０間の通信は、有線（シリアル、ＵＳＢなど）１２、無線（Ｂｌｕｅｔｏｏｔｈ）どちらでも良い。通信によって、体重計本体からカメラ子機に渡されるのは、計測した体重や体脂肪量であり、カメラ子機２０から体重計１０に渡されるのは、計測を指示するコマンド等である。
【００５１】
図２は、カメラ子機の機能ブロック図の一例である。
【００５２】
カメラ子機１００は、撮影手段として機能するカメラ１２０、カメラインターフェースＳＯＣ（System On a Chip）１３０を含む。カメラ１２０はレンズ１２２、イメージセンサ１２４（ＣＣＤもしくはＣＭＯＳイメージセンサ素子等）を含んで構成される。カメラインターフェースＳＯＣ（System On a Chip）１３０は、Ｉ／Ｆ１３１、エンコードエンジン１３２、コントローラ１３３、フラッシュカードＩ／Ｆ１３４、ホストＩ／Ｆ１３５を含む。
【００５３】
コントローラ１３３は、ホストＩ／Ｆ１３５を介して体重計に接続され、が測定した体重情報を取得する体重情報取得手段として機能する。
【００５４】
またカメラインターフェースＳＯＣ（System On a Chip）１３０は、体重計によるユーザーの体重測定に関連づけて、撮影手段でユーザーの少なくとも一部を撮影してユーザー画像を取得するユーザー画像取得手段として機能する。
【００５５】
撮影手段１２０で撮影された画像はＩ／Ｆ１３１を期してカメラＩ／Ｆ１３１に取り込まれ、エンコードエンジン１３２によって圧縮され、フラッシュカードＩ／Ｆ１３４を介してＦＬＡＳＨカード１９０に記憶される。
【００５６】
またコントローラ１３３、フラッシュカードＩ／Ｆ１３４、フラッシュカード１９０は、取得した体重情報と当該体重情報に関連して取得したユーザー画像と撮影日付情報を含む体型記録データをＦＬＡＳＨカード１９０に記憶させる記録手段として機能する。
【００５７】
カメラ子機１００は、ＦＬＡＳＨカード１９０を含む。ＦＬＡＳＨカード１９０は不揮発性のメモリであり、取得した体重情報と当該体重情報に関連して取得したユーザー画像と撮影日付情報を含む体型記録データを記憶させる記憶部として機能する。例えばＳＤカード等で実現するようにしてもよい。
【００５８】
カメラ子機１００は、主記憶１４０を含む。
【００５９】
カメラ子機１００は、リアルタイムクロック（ＲＴＣ）１４２を含む。ＲＴＣ１４２は、計時専用のチップであり、電源が切られている間も内蔵電池から電源供給を受けて動作している(電源が入っている間は外部電源から供給を受ける)。リアルタイムクロック（ＲＴＣ）１４２は、ユーザー画像の撮影日付（または日時）情報を取得する日付情報手段として機能する。
【００６０】
カメラ子機１００は、ＬＣＤコントローラ１５０、ＬＣＤ１５２を含む。ＬＣＤコントローラ１５０、ＬＣＤ１５２で、計測データやユーザー画像の表示を行うようにしてもよい。なお他の他の表示装置で計測データやユーザー画像の表示を行うようにしてもよい。なお表示装置をタッチパネルディスプレイとして構成することにより入力手段として機能させるようにしてもよい。
【００６１】
カメラ子機１００は、音声合成／認識ＬＣＤコントローラＳＯＣ（System On a Chip）１６０、スピーカ１７０、マイク１７２，ＬＥＤ１７４を含む。音声合成／認識ＬＣＤコントローラＳＯＣ（System On a Chip）１６０は、音声合成部（ＴＴＳ）１６２と、音声認識部（ＡＳＲ）１６４、Ｉ／Ｆ１６６、パスコード認証部１６８を含む。音声合成部（ＴＴＳ）１６２はテキストで与えられた発話文章を音声に変換する処理を行うもので、受け付けた音声入力の音声認識を行う音声認識手段として機能する。変換された音声はスピーカ１７０を介して外部に出力される。音声認識部（ＡＳＲ）１６４は、マイク１７２をかいして受けつけた音声の認識を行いテキストに変更する処理を行う。
【００６２】
マイク１７２は、音声入力を受け付ける手段として機能する。
【００６３】
ＬＥＤ１７４は音声認識期間中を明確に示すための出力を行うようにしてもよい。
【００６４】
音声合成／認識ＬＣＤコントローラＳＯＣ（System On a Chip）１６０は、体重計測またはユーザー画像撮影時に関連して入力されるユーザー入力情報に基づいて、取得した体重情報及びユーザー画像に対応するユーザー識別情報を判断するユーザー判断手段として機能し、カメラインターフェースＳＯＣ（System On a Chip）１３０のコントローラ１３３は、取得した体重情報及びユーザー画像を対応するユーザー識別情報に関連づけてフラッシュカードＩ／Ｆ１３４に記憶させるするようにしてもよい。
【００６５】
例えばパスコード認証部１６８でユーザーを認証するための質問（ユーザーしかしらない登録情報、例えばパスワード等を特定するための質問）を作成し、当該質問を音声合成部（ＴＴＳ）１６２で音声変換してスピーカ１７０を介して出力し、当該質問に応じてマイク１７２から入力された音声を音声認識部（ＡＳＲ）１６４で認識して、パスコード認証部１６８が、認識結果に基づいてユーザー認証を行うようにしてもよい。
【００６６】
より具体的には、パスコード認証部１６８がユーザー識別ＩＤに関連して用意されている質問とそれに対するユーザーの応答からユーザーを特定するようにしてもよい。例えばユーザー識別ＩＤに関連づけられて登録されているユーザーしか知らない登録情報（例えばパスワード）を訪ねる質問や、前記登録情報が数字である場合には当該数字を所定の閾値と比較して２分検索を行うための質問（数字が検索範囲の中間値より大きいかどうかを訪ねる、回答結果によって検索範囲を絞っていく手法）とそれに対する応答によりユーザー認証を行うようにしてもよい。
【００６７】
またカメラ子機１００は、位置合わせサポート情報出力制御部１８０とレーザーポインタ１８２を含むようにしてもよい。位置合わせサポート情報出力制御部１８０とレーザーポインタ１８２は、体重計と撮影手段が所定の位置関係になるように体重計及び撮影手段の少なくとも一方を配置するための位置合わせサポート情報を出力する位置合わせサポート情報出力手段として機能するようにしてもよい。
【００６８】
例えばレーザポインタ１８２は、前記位置合わせサポート情報として、体重計と撮影手段が所定の位置関係になるように体重計を設置するための設置位置を指示するレーザー光線を出力するようにしてもよい。
【００６９】
また位置合わせサポート情報出力制御部１８０は、撮影手段で撮影する撮影箇所に応じて体重計と撮影手段の位置関係を決定するようにしてもよい。
【００７０】
ユーザー画像取得手段として機能するカメラインターフェースＳＯＣ（System On a Chip）１３０は、入力された音声の音声認識結果が所定の画像取得トリガ条件を満たしているかいなか判断し、所定の画像取得トリガ条件を満たしている場合には、撮影手段で撮影されたユーザー画像を取得するようにしてもよい。
【００７１】
カメラインターフェースＳＯＣ（System On a Chip）１３０のコントローラ１３３は、入力された音声の音声認識結果が所定の記録アクセス条件を満たしているかいなか判断し、所定の記録アクセス条件を満たしている場合には、記憶部に記憶された体型記録データへのアクセスを許可するアクセス権限判断手段として機能する。なおアクセス条件を満たしているか否かは、音声合成／認識ＬＣＤコントローラＳＯＣ（System On a Chip）１６０のパスコード認証部１６８が判断し、コントローラ１３３はパスコード認証部１６８の判断結果に基づきアクセスを許可する構成でもよい。
【００７２】
音声合成／認識ＬＣＤコントローラＳＯＣ（System On a Chip）１６０のパスコード認証部１６８は、入力された音声の音声認識結果がユーザー識別情報に関連して設定された所定のユーザー認証条件を満たしているかいなか判断し、満たしている場合には音声入力主とユーザー識別情報を関連付けるユーザー特定処理を行うユーザー特定手段として機能するようにしてもよい。
【００７３】
前記ユーザー画像取得手段として機能するカメラインターフェースＳＯＣ（System On a Chip）１３０のコントローラ１３３は、体重計によるユーザーの体重測定状態が正常条件を満たしているかいなか判断し、満たしている場合に、撮影手段で撮影されたユーザー画像を取得を許可する処理を行うようにしてもよい。例えばホストＩ／Ｆ１３５を介して体重計から受け付ける計測値が安定状態にある（ぶれがおさまり一定値になった状態）ときに体重計によるユーザーの体重測定状態が正常条件を満たしていると判断するようにしてもよい。
【００７４】
体型撮影については、適切なユーザー画像を取得するためには、カメラ位置と体重計の位置関係を一定に保つことが必要である。体重計に載ったユーザーの画像を撮影する場合にはユーザが立つ位置は体重計上の決まった位置に制限されるので、体重計とカメラ子機の位置関係も自ずと制限される。
【００７５】
図３（Ａ）（Ｂ）は、カメラ子機の位置合わせ方式の一例について説明するための図である。
【００７６】
図３（Ａ）はカメラ子機と体重計が有線で通信を行う場合の有線配線の長さによる束縛方式を示した図である。カメラ子機は壁１８にフック等で固定され、体重計１０は壁１８と隣接し壁１８に対して垂直に接する床１９におかれるとする。このような場合、カメラ子機２０と体重計１０を繋ぐ通信ケーブル１２の床部分１３と壁部分１４を規定して、ケーブル１２の床部分１３と壁１８と床１９の境界線に対して垂直になるように配置することで、カメラ子機２０と体重計１０の位置関係を所定の位置関係に設定することができる。本実施の形態ではケーブル１２の床部分１３を第１の色にして、ケーブル１２の壁部分１４を第１の色とは異なる第２の色に設定しているので、ユーザーはこの色に合わせて壁１８と床１９にケーブル１２をはわせることで、カメラ子機２０と体重計１０を所定の位置関係に設定することができる。
【００７７】
ここで所定の位置関係は例えば、カメラが体重計に載ったユーザーの全体像または所定の部分を撮影できる位置関係とすることができる。なおユーザーのどの部分を撮影する可かによってカメラ子機２０と体重計１０の位置関係が変わってくるので位置関係に応じたケーブルを用意するようにしてもよい。
【００７８】
図３（Ｂ）はカメラ子機と体重計が無線で通信を行う場合のレーザポインタによるポイント指示方式を示した図である。カメラ子機は壁１８にフック等で固定され、体重計１０は壁１８と隣接し壁１８に対して垂直に接する床１９におかれるとする。このような場合、例えば体重計１０に角度固定又は切り替えにより複数の角度に設定可能なレーザーポインタを内蔵させ、レーザーポインタが出力するレーザー光線５２で指定された位置にカメラ子機２０を設定するようにしてもよい。なお図４で説明するようにカメラ子機にレーザーポインタを内蔵させ、レーザーポインタで指定された位置に体重計を設置するようにしてもよい。
【００７９】
ここでレーザーポインタは、カメラ子機２０と体重計１０を所定の位置関係に設定することができるように角度固定または切り替えにより複数の角度に設定可能に構成するようにしてもよい。
【００８０】
ここで所定の位置関係は例えば、カメラが体重計にのったユーザーの全体像または所定の部分を撮影できる位置関係にすることができる。なおユーザーのどの部分を撮影する可かによってカメラ子機２０と体重計１０の位置関係が変わってくるので位置関係に応じて、角度を切り替えられるように設定してもよい。
【００８１】
図４（Ａ）〜（Ｃ）、図５は、カメラ子機と体重計の位置合わせについて説明するための図である。
【００８２】
図４（Ａ）は、ユーザーの上半身を撮影するのに適した上半身モードの場合のカメラ子機２０と体重計１０の位置関係及びカメラの撮影範囲３０−Ａとユーザー４０の関係を模式的に示している。
【００８３】
図４（Ｂ）は、ユーザーの全身を撮影するのに適した全身モードの場合のカメラ子機２０と体重計１０の位置関係及びカメラの撮影範囲３０−Ｂとユーザー４０の関係を模式的に示している。
【００８４】
図４（Ｃ）は、ユーザーの足を撮影するのに適した足モードの場合のカメラ子機２０と体重計１０の位置関係及びカメラの撮影範囲３０−Ｃとユーザー４０の関係を模式的に示している。
【００８５】
図４（Ａ）〜（Ｃ）に示すように、撮影したい部位によってカメラ子機２０と体重計１０の位置関係も変わってくる。本実施の形態では位置合わせサポート情報として、カメラ子機２０に設けたレーザーポインタ５０で体重計の設置位置を示すレーザー光線５２を出力するが、この場合のレーザー光線５２の向きを撮影したい部位に応じて設定するように構成する。
【００８６】
例えば図５に示すようにカメラ子機２０に設けたレーザーポインタの設置角度（例えばレーザーポインタを代表点５４を中心として回転可能に構成した場合の回転角等）を複数段階に設定可能に構成し、撮影した部位に応じて設置角度を変更するようにしてもよい。例えば図５では足モード用角度、腹部／全身モード用角度、上半身用角度の３段階の角度に設定可能な場合の例を示している。５０−Ａは腹部／全身モード用角度に設定されたレーザーポインタを示しており、５０−Ｂは上半身モード用角度に設定されたレーザーポインタを示しており、５０−Ｃは足用角度に設定されたレーザーポインタを示している。
【００８７】
図６は、記憶部に記憶された体型記録データについて説明するための図である。
【００８８】
体型記録データ２００は、基本レコード群２００とユーザーの画像データ群２５０からなる。
【００８９】
ユーザーの画像データ群２５０は、撮影手段が取得した複数のユーザー画像の圧縮、暗号化された可変長写真データ２５２−１、２５２−２，・・の集合である。各可変長写真データ２５２−１、２５２−２には、各データを識別するための写真番号が付されている。
【００９０】
基本レコードはユーザーＩＤ２１０、タイムスタンプ２２０、体重データ２３０、写真番号２４０を含むレコードであり、ユーザーの体重計測及び画像撮影が行われる度に生成される。
【００９１】
ユーザーＩＤ２１０は、ユーザーを識別するためのユーザー識別ＩＤであり、数字やアルファベット等で構成される。例えば撮影する前にユーザーのユーザーＩＤを特定する処理（ユーザーによるユーザーＩＤの入力や音声認識によるユーザー認証等）を行うことにより、体重データやユーザー画像をユーザーＩＤに関連づけて記憶させることができる。
【００９２】
タイムスタンプ２２０は例えば年月日を示す６桁の数字YYMMDDで構成しても良いし、時刻（時分）まで含めた数字で構成してもよい。タイムスタンプ２２０はユーザー画像の撮影タイミングでリアルタイムクロックで取得された日付または日時情報により特定することができる。
【００９３】
体重データは２３０体重計で計測された数値であり、暗号化して記憶させるようにしてもよい。
【００９４】
写真番号２４０は、撮影して記憶されている可変長写真データ（暗号化済み）の識別ＩＤである。例えば２４０−１は、ユーザーＩＤがＡのユーザーがY1Y1M1M1D1D1に撮影したユーザー画像の可変長写真データ（暗号化済み）２５２−１の識別ＩＤがf01であることを示している。
【００９５】
このようにして体重測定の際の撮影の度に生成される基本レコードの集合から所与のユーザーＩＤを持つレコードを抽出し、タイムスタンプでソートして出力することにより、所与のユーザーの体型の履歴を参照することができる。
【００９６】
図７（Ａ）は、拡張された基本レコードの一例を示す図である。図６で説明した基本レコードに加え、撮影部位２７０の情報が付加されている。例えば撮影部位を図４に示すように「全身」、「上半身」「足」の３つのパターンについて部位を特定して撮影可能な場合、撮影部位２７０の欄に「全身」なら’１’、「上半身」なら’２’、「足」なら’３’を格納するようにしてもよい。
【００９７】
このようにすると、各ユーザーの撮影部位毎に抽出してソートすることで、所与のユーザーの撮影部位ごとの体型の履歴を参照することができる。
【００９８】
また撮影部位２７０の情報に基づいて位置合わせサポート情報を出力するようにしてもよい。例えば撮影前にユーザーＩＤを特定し、ユーザーＩＤに対応して記憶された撮影位置情報を読み出して、当該撮影位置情報に基づき体重計と撮影手段の位置関係を決定し、決定結果に基づいて位置合わせ用のレーザーポインタの角度調整を行うようにしてもよい。撮影位置とレーザーポインタの設定角度の対応テーブルを予め用意しておいて、当該対応テーブルから撮影位置に応じたレーザーポインタの設定角度の情報を読み出して、読み出した設定角度の情報に基づいてレーザーポインタの角度調整を行うようにしてもよい。
【００９９】
図７（Ｂ）は、ユーザー情報レコードの一例である。
【０１００】
ユーザー情報レコード３００は、ユーザーＩＤ３１０、パスワード３２０、性別３３０、身長３４０、年齢３５０等のユーザー基本情報をふくむようにしてもよい。例えば所与のユーザーの初回の測定時にユーザー設定情報として上記各ユーザー設定情報の入力を受け付け、ユーザー情報レコード３００を作成するようにしてもよい。
【０１０１】
図８は、本実施の形態の体型記録データの取得時の処理の流れについて説明するためのフローチャートである。
【０１０２】
まずユーザー設定を行うかいなか質問し、「行う」という回答の場合には、ユーザー設定を行う（ステップＳ１０、Ｓ２０）。
【０１０３】
ユーザー設定を行うかいなかは、例えば「初回の測定ですか」「継続した測定ですか？」等の質問を作成し音声合成して出力し、ユーザーから音声による回答（例えば「はい」や「いいえ」）を受け付け、受け付けた音声の音声認識をおこない、認識結果により判断するようにしてもよい。
【０１０４】
例えば当該ユーザーの初回の測定時であればユーザー登録を行い、図７（Ｂ）に示すようなユーザー情報レコードを生成するようにしてもよい。既にユーザー登録済みのユーザーが登録済みの撮影部位についての体型記録データを取得する場合にはユーザー登録は省略するようにしてもよい。ユーザー登録は、例えば身長と体重と年齢等のユーザー情報やユーザーを識別するために必要なユーザーＩＤやパスワードの登録や、撮影部位の指定などを行う。
【０１０５】
次にユーザー認証をおこない、ユーザーＩＤを特定する（ステップＳ３０）。
【０１０６】
ユーザー認証は、音声合成と音声認識、及び認識された結果の判定等により行うようにしてもよい。例えばユーザーＩＤやパスワードが数字である場合、２分検索法によりユーザーＩＤやパスワードを特定するための質問（例えば「あなたのユーザーＩＤはｘ（所与の数値）より小さいですか」という質問）を生成し音声合成して出力し、質問に対するユーザーの回答（例えば「ハイ」や「いいえ」）を音声により受け付け、受け付けた回答を音声認識する処理をユーザーＩＤが特定されるまで繰り返すようにしてもよい。
【０１０７】
次に特定されたユーザーＩＤに関連づけて記憶されている撮影部位情報を読み出し、読み出した撮影部位情報に基づきレーザーポインタの角度を自動的に設定して、体重計設置位置を指示する位置合わせサポート情報を出力する（ステップＳ４０）。
【０１０８】
次に体重計で体重計測を行う（ステップＳ５０）。
【０１０９】
次にユーザー画像撮影タイミングかいなか判断し（ステップＳ６０）、撮影タイミングである場合には、撮影手段でユーザー画像を撮影する（ステップＳ７０）。ユーザー画像撮影タイミングか否かは、ユーザーの音声による合図で判断してもよい。例えば入力された音声の音声認識結果が所定の画像取得トリガ条件を満たしているかいなか判断し、所定の画像取得トリガ条件を満たしている場合には、撮影手段ユーザーの画像を撮影し、撮影した画像を取り込んで、ユーザー画像を取得するようにしてもよい。
【０１１０】
また体重計によるユーザーの体重測定状態が正常条件を満たしているかいなか判断し、満たしている場合に、撮影手段で撮影されたユーザー画像を取得を許可する処理を行うようにしてもよい。
【０１１１】
次に撮影した画像データを圧縮暗号化して、当該画像データを特定するための写真番号を生成して、写真番号に関連づけて記憶部に記憶させる（ステップＳ８０）。
【０１１２】
次にタイムスタンプを取得（ステップＳ９０）。
【０１１３】
次に特定されたユーザー識別ＩＤに関連づけて、撮影部位、測定した体重データ、撮影した画像データの写真番号、取得したタイムスタンプを含む基本レコードを生成して記憶部に記憶させる（ステップＳ１００）。
【０１１４】
なおユーザー画像の撮影にあたっては、以下のシーケンスを標準として考えるようにしてもよい。まずユーザーが体重計に乗ると、圧力によりメインスイッチ入り、本体が起動するとともに、カメラ子機もＳＷオンとなる。カメラ子機は、音声合成／認識機能をつかい予め登録された複数のユーザーから、ユーザーを選択、設定する。この際、ユーザーがプライバシー保護機能を設定していたばあい、パスコードの入力を音声合成／認識機能により設定するようにしてもよい。
【０１１５】
カメラ子機は、音声合成／認識機能をつかい、計測を実施するようにしてもよい。
ダイアローグ例：
「体重測定準備できましたか？」＝＞ユーザの「はい」応答を待って体重計測。
「正面撮影してよいですか？」＝＞ユーザの「はい」応答で撮影。
「側面撮影してよいですか？」＝＞ユーザの「はい」応答で撮影。
「おつかれさまでした。計測を終えてよいですか？」＝＞「はい」で電源断。
以上の測定により、測定対象ユーザーＩＤ、日時、体重、正面写真、側面写真が記憶部（ＦＬＡＳＨカード）に記録されるようにしてもよい。なおプライバシー保護機能を設定していた場合には、データを暗号化して記憶するようにしてもよい。
【０１１６】
図９は、体型記録データの閲覧時の処理の流れについて説明するためのフローチャートである。
【０１１７】
記録データ閲覧要求があると以下の処理を行う（ステップＳ１１０）。
【０１１８】
まずユーザー認証を行い、ユーザーＩＤを特定する（ステップＳ１２０）。
【０１１９】
次に特定されたユーザーＩＤに関連づけて記憶されている体型記録データを抽出して、タイムスタンプでソートして出力する（ステップＳ１３０）。このとき暗号化されているものやＪＰＥＧ画像圧縮されているものについては復号化して出力する。
【０１２０】
なお、本発明は本実施形態に限定されず、本発明の要旨の範囲内で種々の変形実施が可能である。
【０１２１】
なお上記実施の形態ではでは、カメラの光軸の角度を変更することにより、撮影箇所を変更する場合を例にとり説明したがそれに限られない。例えば画角の広いカメラを使用してユーザーの画像を撮影する場合には、取得したユーザー画像から撮影希望箇所に対応する部分の画像を切り取って保存するようにしてもよい。
【０１２２】
また無線の場合、本体起動に応じて、子機の電源ＯＮを制御できないので、子機は定期的にごく短い期間ＯＮして、本体からの無線呼び出しを待ち、呼び出されていた場合に電源ＯＮし、計測モードに入るような構成にしてもよい。
【０１２３】
またカメラ子機に、写真表示可能なサイズのＬＣＤを搭載した場合には、カメラ子機上での、計測データの表示を可能にするようにしてもよい。
【０１２４】
また期間を決めての、２枚の写真の比較表示（例えば１年前と現在の写真２枚）ができるようにしてもよい。なお上記２枚を横に並べるのでなく、１枚を半透明化処理して重ね合わせ表示するようにしてもよい。このようにするとユーザーは体型の変化がわかりやすい。
【０１２５】
また記録されている一連のユーザー画像を時系列に切り替える表示（ぱらぱらと頁をめくるようなパラパラ表示（アニメーション的））を行うようにしてもよい。
【０１２６】
また特定位置への計測ラインの線引き指定（例えばバストトップ位置）がおこなえるようにしてもよい。
【０１２７】
また入力された音声の音声認識結果に基づきユーザー判定を行い、当該ユーザーに関連づけて記憶されている撮影部位情報に基づき、位置合わせサポート情報を出力するようにしてもよい。
【図面の簡単な説明】
【０１２８】
【図１】本実施の形態の体型測定システムの構成について説明するための図。
【図２】カメラ子機の機能ブロック図の一例。
【図３】カメラ子機の位置合わせ方式の一例について説明するための図。
【図４】図４（Ａ）〜（Ｃ）は、カメラ子機と体重計の位置合わせについて説明するための図。
【図５】カメラ子機と体重計の位置合わせについて説明するための図。
【図６】記憶部に記憶された体型記録データについて説明するための図。
【図７】図７（Ａ）は拡張された基本レコードの一例であり、図７（Ｂ）は、ユーザー情報レコードの一例である。
【図８】体型記録データの取得時の処理の流れについて説明するためのフローチャート。
【図９】体型記録データの閲覧時の処理の流れについて説明するためのフローチャート。
【符号の説明】
【０１２９】
１  体型測定システム、１０  体重計、２０  カメラ子機、２２  カメラ、２４  マイク、２６  スピーカ、２８  表示部、５０  レーザーポインタ、１００  カメラ子機、１２０  撮影部、１３０  カメラＩ／Ｆ、１４０  主記憶、１４２  ＲＴＣ、１５０  ＬＣＤＣ、１５２  ＬＣＤ、１６０  音声認識・合成ＳＯＣ、１７０  スピーカ、１７２  マイク、１７４  ＬＥＤ、１８０  位置合わせサポート情報出力制御部、１８２  レーザーポインタ
【図１】
2008142470.tif 000003
【図２】
2008142470.tif 000004
【図３】
2008142470.tif 000005
【図４】
2008142470.tif 000006
【図５】
2008142470.tif 000007
【図６】
2008142470.tif 000008
【図７】
2008142470.tif 000009
【図８】
2008142470.tif 000010
【図９】
2008142470.tif 000011